(57)【要約】【課題】  電池の交換を不要にし、歩行障害者の歩行の安全や、歩行補助具の夜間の視認を容易にする発光機能付き歩行補助具を提供する。【解決手段】  歩行を補助する松葉杖１１を備える発光機能付き松葉杖１１であって、松葉杖１１が振り動かされたときに電気を発生する発電装置（発電部３１および電源回路３２）と、この発電装置の電気で点灯する照明灯とを備え、また、松葉杖１１が押されたときに電気を発生する発電装置（圧電素子２１および電源回路２２、圧電素子４１および電源回路４２）と、この発電装置の電気で点灯する表示灯２３、４３とを備える。【選択図】  図１
2007000261.tif 000002
【特許請求の範囲】
【請求項１】
歩行を補助する歩行補助具を備える発光機能付き歩行補助具であって、
前記歩行補助具が振り動かされたときに電気を発生する発電装置と、
前記発電装置の電気で点灯する発光体と、
を備えることを特徴とする発光機能付き歩行補助具。
【請求項２】
前記発電装置はコイルと磁石とを備え、前記歩行補助具が振り動かされたとき、前記コイルまたは前記磁石が動いて、前記コイルが電気を発生することを特徴とする請求項１に記載の発光機能付き歩行補助具。
【請求項３】
歩行を補助する歩行補助具を備える発光機能付き歩行補助具であって、
前記歩行補助具が押されたときに電気を発生する発電装置と、
前記発電装置の電気で点灯する発光体と、
を備えることを特徴とする発光機能付き歩行補助具。
【請求項４】
前記発電装置は圧電素子を備え、前記歩行補助具が押されたとき、前記圧電素子が電気を発生することを特徴とする請求項３に記載の発光機能付き歩行補助具。
【請求項５】
前記発光体は、歩行補助具の周辺を照らす前照灯であることを特徴とする請求項１〜４のいずれか１項に記載の発光機能付き歩行補助具。
【請求項６】
前記発光体は、歩行補助具の側部を含む部分に１つ以上設けられ、歩行補助具の存在を示す表示灯であることを特徴とする請求項１〜４のいずれか１項に記載の発光機能付き歩行補助具。
【請求項７】
前記発電装置は、発電した電気を蓄え、蓄えた電気を前記発光体に加えることを特徴とする請求項５または６に記載の発光機能付き歩行補助具。
【発明の詳細な説明】
【技術分野】
【０００１】
この発明は、歩行障害を持つ人に用いられる発光機能付き歩行補助具に関する。
【背景技術】
【０００２】
病気や事故等で歩行障害を持つ人や高齢で歩行が困難な人（以下、歩行障害者という）は、その程度などに応じて、杖や歩行器のような歩行補助具を用いる。たとえば、杖は、昼間はもとより夜でも用いられる。杖を持つ歩行障害者が暗い所を歩くとき、足元や歩行先の凹凸などの状態や障害物の有無を照らし出すために、照明装置を内蔵した歩行補助具がある（特許文献１、２）。この歩行補助具は、電池と点滅スイッチと電球とを備えている。そして、暗い所では、杖に設けられている点滅スイッチを歩行障害者が操作すると、電池が電球に接続されて、電球が点灯する。これにより、杖の前方を電球が照らし、歩行障害者が暗い所でも安全に歩くことを可能にする。
【特許文献１】特開平８−２４２９１７号公報
【特許文献２】特開平１０−１１８１３９号公報
【発明の開示】
【発明が解決しようとする課題】
【０００３】
ところで、先に述べた歩行補助具には次の課題がある。前述した杖の場合、電球を点灯するために、電池が用いられている。この電池は取替え可能であるが、電池の取替えを忘れたり、また、夜間の歩行途中で電池が切れたりすると、電球が消灯し、歩行障害者の安全な歩行を困難にするという課題がある。
【０００４】
この発明は、前記の課題を解決し、電池の交換を不要にし、歩行障害者の歩行の安全や、歩行補助具の夜間の視認を容易にする発光機能付き歩行補助具を提供することにある。
【課題を解決するための手段】
【０００５】
前記課題を解決するために、請求項１の発明は、歩行を補助する歩行補助具を備える発光機能付き歩行補助具であって、前記歩行補助具が振り動かされたときに電気を発生する発電装置と、前記発電装置の電気で点灯する発光体とを備えることを特徴とする発光機能付き歩行補助具である。
【０００６】
請求項１の発明により、歩行障害者が歩行補助具を用いた場合に、この歩行補助具を振り動かすとき、つまり、歩行障害者の歩行を補助するとき、歩行補助具が電気を発生し、この電気により発光体が点灯する
請求項２の発明は、請求項１に記載の発光機能付き歩行補助具において、前記発電装置はコイルと磁石とを備え、前記歩行補助具が振り動かされたとき、前記コイルまたは前記磁石が動いて、前記コイルが電気を発生することを特徴とする。
【０００７】
請求項２の発明により、コイルまたは磁石が動いて、コイルに電気を発生する電磁誘導式で発電装置を構成する。
【０００８】
請求項３の発明は、歩行を補助する歩行補助具を備える発光機能付き歩行補助具であって、前記歩行補助具が押されたときに電気を発生する発電装置と、前記発電装置の電気で点灯する発光体とを備えることを特徴とする発光機能付き歩行補助具である。
【０００９】
請求項３の発明により、歩行障害者が歩行補助具を用いた場合に、歩行を補助するために、歩行補助具に体重を加え、また、歩行補助具を手で押すことにより、歩行補助具が電気を発生し、発光体が点灯する
請求項４の発明は、請求項３に記載の発光機能付き歩行補助具において、前記発電装置は圧電素子を備え、前記歩行補助具が押されたとき、前記圧電素子が電気を発生することを特徴とする。
【００１０】
請求項４の発明により、圧電素子により電気を発生する圧電式で発電装置を構成する。
【００１１】
請求項５の発明は、請求項１〜４のいずれか１項に記載の発光機能付き歩行補助具において、前記発光体は、歩行補助具の周辺を照らす前照灯であることを特徴とする。
【００１２】
請求項５の発明により、電磁誘導式または圧電式で発生した電気で前照灯が歩行補助具の周辺、つまり、歩行補助具を用いる歩行障害者の足元や歩行先を照らす。
【００１３】
請求項６の発明は、請求項１〜４のいずれか１項に記載の発光機能付き歩行補助具において、前記発光体は、歩行補助具の側部を含む部分に１つ以上設けられ、歩行補助具の存在を示す表示灯であることを特徴とする。
【００１４】
請求項６の発明により、電磁誘導式または圧電式で発生した電気で、歩行補助具の側部の発光体が点灯する。
【００１５】
請求項７の発明は、請求項５または６に記載の発光機能付き歩行補助具において、前記発電装置は、発電した電気を蓄え、蓄えた電気を前記発光体に加えることを特徴とする。
【００１６】
請求項７の発明により、前照灯や表示灯の発光体は蓄えた電気を用いるので、発光体による発光が持続する。
【発明の効果】
【００１７】
請求項１および請求項３の発明によれば、歩行障害者の歩行を補助するときに、歩行補助具が電気を発生して、発光体を点灯するので、電池を不要にし、かつ、発光体の発光により歩行障害者の安全を常に確保することを可能にする。
【００１８】
請求項２の発明によれば、発電装置がコイルと磁石とを備える電磁誘導式であり、請求項４の発明によれば、発電装置が圧電素子を用いる圧電式であるので、発電装置の構成を簡単にすることができる。
【００１９】
請求項５の発明によれば、電磁誘導式または圧電式で発生した電気を用いて前照灯が歩行補助具の周辺を照らすので、電池を不要にして、歩行障害者の歩行の安全を常に確保することを可能にする。
【００２０】
請求項６の発明によれば、電磁誘導式または圧電式で発生した電気を用いて歩行補助具の側部の発光体が発光するので、電池を不要にして、歩行補助具の存在を表示し、歩行障害者の歩行の安全を常に確保することを可能にする。特に、発電装置を圧電式にした場合、歩行障害者が歩行補助具を動かしたときに、発光体が発光する。つまり、歩行障害者の歩行状態に応じて発光体が点滅するので、発光体の点滅頻度により歩行障害者の歩行速度を推定可能にする。これにより、自転車の利用者や自動車の運転者が歩行障害者と接触するまでの時間を予測可能にし、歩行障害者との接触を避けることを可能にする。
【００２１】
請求項７の発明によれば、蓄えた電気を発光体が用いるので、発光体による発光が持続する。特に、発光体が前照灯の場合、昼間、歩行障害者が歩行補助具を振り動かしたときに発生する電気を蓄え、この蓄えた電気を暗い所で用いて前照灯を点灯すれば、暗い所で前照灯が持続して発光し、歩行障害者の歩行の安全を常に確保することを可能にする。
【発明を実施するための最良の形態】
【００２２】
つぎに、この発明の実施の形態について、図面を用いて詳しく説明する。
（実施の形態１）
この実施の形態による発光機能付き歩行補助具を図１に示す。この実施の形態では、歩行補助具が松葉杖であり、この発明は松葉杖に適用されている。図１の発光機能付き松葉杖は、松葉杖１１と、圧電式の発電装置と、電磁誘導式の発電装置と、後述する前照灯３３と、表示灯２３、４３とを備えている。
【００２３】
松葉杖１１は、上側にＵ字部分１１Ａ1が形成され、かつ、下側に棒状部分１１Ａ2が形成された杖本体１１Ａと、Ｕ字部分１１Ａ1の両端に掛け渡された腋当て１１Ｂと、Ｕ字部分１１Ａ1の間に掛け渡された握り１１Ｃと、棒状部分１１Ａ2の下端に取り付けられた石突き１１Ｄとで形成されている。杖本体１１Ａと握り１１Ｃとは、内部が中空のパイプで作られている。
【００２４】
松葉杖１１の腋当て１１Ｂには、図２に示すように、圧電素子２１と電源回路２２とを備える圧電式の発電装置が装着され、松葉杖１１のＵ字部分１１Ａ1には、発光ダイオードが表示灯２３として取り付けられ、表示灯２３は電源回路２２に対して図３に示すように接続されている。圧電素子２１は、腋当て１１Ｂのカバー１１Ｂ1の内側に、かつ、腋当て１１Ｂの当て材１１Ｂ2内に埋め込まれている。圧電素子２１は、図４に示すように、電極２１Ａ、２１Ｂと、電極２１Ａと電極２１Ｂとに挟まれた圧電材２１Ｃとを備えている。松葉杖１１を用いる歩行障害者の体重が歩行の時などに腋当て１１Ｂに加わると、この体重による圧力Ｐが圧電素子２１の圧電材２１Ｃに加わり、電極２１Ａと電極２１Ｂとの間に電気が発生する。つまり、圧電素子２１は、歩行障害者による圧力Ｐが加わったときだけ電気を発生するので、この電気は、瞬間的に発生するパルス状である。この電気は電源回路２２に加えられる。
【００２５】
電源回路２２は、スイッチ２２Ａと、端子２２Ｂ、２２Ｃとを備えている。端子２２Ｂは圧電素子２１を接続するためのものであり、端子２２Ｃは表示灯２３を接続するためのものである。端子２２Ｂと端子２２Ｃとの間には、スイッチ２２Ａが接続されている。スイッチ２２Ａは、押す毎に開状態と閉状態とを繰り返すオン・オフ・スイッチである。スイッチ２２Ａは、図３に例示するように、電源回路２２が装着されているケース外側に取り付けられ、腋当て１１Ｂのカバー１１Ｂ1から突出するように、腋当て１１Ｂに固定されている。スイッチ２２Ａは、松葉杖１１を用いる歩行障害者に操作されて閉じられると、圧電素子２１からのパルス状の電気を表示灯２３に供給する。
【００２６】
表示灯２３は、杖本体１１ＡのＵ字部分１１Ａ1の外側、つまり、松葉杖１１の側部に設けられている。表示灯２３は、松葉杖１１が使用されたときに、松葉杖１１の存在を示すために、松葉杖１１の視認を可能にするものであり、電源回路２２からのパルス状の電気により点灯する。表示灯２３には、歩行障害者が松葉杖１１を使用しているときにだけ発生するパルス状の電気が加えられるので、松葉杖１１が使用されているときには、表示灯２３は歩行障害者の歩行状態に応じて点滅する。
【００２７】
松葉杖１１の握り１１Ｃには、図５に示すように、発電部３１と電源回路３２とを備える電磁誘導式の発電装置が装着され、Ｕ字部分１１Ａ1には発光ダイオードが前照灯３３として取り付けられている。パイプで作られた握り１１Ｃには中空１１Ｃ1が形成され、発電装置は中空１１Ｃ1内に装着されている。発電部３１は、中空１１Ｃ1を形成する握り１１Ｃの内壁面に、接着剤１００などで固定されている。発電部３１は、図６に示すように、両端がゴム等の弾性体の栓３１Ａで閉じられた筒体３１Ｂと、筒体３１Ｂの周囲に巻き付けられたコイル３１Ｃとを備え、さらに、図７に示すように、筒体３１Ｂの長手方向Ａに筒体３１Ｂの内側を移動可能に挿入された磁石３１Ｄを備えている。松葉杖１１が歩行障害者に用いられると、歩行障害者の歩行毎に松葉杖１１が振り動かされ、これにより、磁石３１Ｄが筒体３１Ｂ内を動く。磁石３１Ｄが筒体３１Ｂ内を動くことにより、コイル３１Ｃが交流状の電気を発生する。つまり、発電部３１は、松葉杖１１が振り動かされているときだけ電気を発生する。この電気は電源回路３２に加えられる。
【００２８】
電源回路３２は、図８に示すように、ダイオード３２Ａと、コンデンサ３２Ｂと、スイッチ３２Ｃと、端子３２Ｄ、３２Ｅとを備えている。端子３２Ｄはコイル３１Ｃを接続するためのものであり、端子３２Ｅは前照灯３３を接続するためのものである。端子３２Ｄの間には、ブリッジ接続をされた４つのダイオード３２Ａが接続されている。４つのダイオード３２Ａは、コイル３１Ｃからの交流状の電気を直流に変換する。コンデンサ３２Ｂは、ダイオード３２Ａが直流に変換した電気を蓄える。コンデンサ３２Ｂと端子３２Ｅとの間には、スイッチ３２Ｃが接続されている。スイッチ３２Ｃは、押す毎に開状態と閉状態とを繰り返すオン・オフ・スイッチであり、握り１１Ｃの表面から突出するように、握り１１Ｃに取り付けられている。スイッチ３２Ｃは、松葉杖１１を用いる歩行障害者に操作されて閉じられると、コンデンサ３２Ｂからの直流の電気を前照灯３３に供給する。こうした電源回路３２は、接着剤やネジなどによって握り１１Ｃ内にスイッチ３２Ｃと共に固定される。
【００２９】
前照灯３３は、杖本体１１ＡのＵ字部分１１Ａ1の外側に、かつ、握り１１Ｃの設置位置に設けられている。つまり、握り１１Ｃの中空１１Ｃ1内からＵ字部分１１Ａ1を貫通して、円筒状のホルダ３３Ａが取り付けられ、前照灯３３はホルダ３３Ａ内に支持されている。前照灯３３は、暗い所で松葉杖１１が使用されたときに、歩行障害者の足元や歩行先などの松葉杖１１の周辺を照らす照明用である。照明灯３３は、明るい所で松葉杖１１が用いられたときに電源回路３２が蓄えた電気で持続して点灯する。
【００３０】
松葉杖１１の棒状部分１１Ａ2および石突き１１Ｄには、図９に示すように、圧電素子４１と電源回路４２とを備える圧電式の発電装置が装着され、松葉杖１１の棒状部分１１Ａ2には発光ダイオードが表示灯４３として取り付けられている。圧電素子４１は、石突き１１Ｄの窪み１１Ｄ1の底部分に配置されている。窪み１１Ｄ1には棒状部分１１Ａ2の先端が固定されている。圧電素子４１は、図４に示す圧電素子２１と同じであり、歩行の時に石突き１１Ｄが地面等に接触すると、そのときの歩行障害者の体重が棒状部分１１Ａ2の先端と石突き１１Ｄとの間に配置された圧電素子４１に加わる。これにより、圧電素子４１が電気を発生する。つまり、圧電素子４１は歩行時の圧力が石突き１１Ｄに加わったときだけ電気を発生するので、この電気は、瞬間的に発生するパルス状である。この電気は電源回路４２に加えられる。
【００３１】
電源回路４２は、図４に示す電源回路２２と同じであり、スイッチ４２Ａと、圧電素子４１が接続される端子（図示を省略）と、表示灯４３が接続される端子（図示を省略）とを備えている。スイッチ４２Ａは、棒状部分１１Ａ2の表面から突出するように、棒状部分１１Ａ2に取り付けられている。スイッチ４２Ａが閉じられると、圧電素子４１からのパルス状の電気が表示灯４３に供給される。
【００３２】
表示灯４３は、杖本体１１Ａの棒状部分１１Ａ2の外側に、かつ、棒状部分１１Ａ2の長手方向に、つまり、松葉杖１１の側部に配置されている。表示灯４３は、松葉杖１１が使用されたときに、松葉杖１１の視認を可能にするものであり、電源回路４２からのパルス状の電気により点灯する。表示灯４３には、表示灯２３と同じように、歩行障害者が松葉杖１１を使用しているときにだけ発生するパルス状の電気が加えられるので、松葉杖１１が使用されているときには、表示灯４３は歩行障害者の歩行状態に応じて点滅する。
【００３３】
この実施の形態による発光機能付き松葉杖は以上の構成である。この発光機能付き松葉杖が、昼間、握り１１Ｃのスイッチ３２Ｃが開状態で歩行障害者に用いられると、歩行のために松葉杖１１が振り動かされる毎に発電部３１が電気を発生し、この電気を電源回路３２が蓄える。また、腋当て１１Ｂのスイッチ２２Ａが閉じられ、歩行時に歩行障害者の体重が腋当て１１Ｂに加わる毎に、圧電素子２１が電気を発生し、この電気を電源回路２２が表示灯２３に加える。これにより、表示灯２３が点滅する。さらに、杖本体１１Ａのスイッチ４２Ａが閉じられ、歩行時に歩行障害者の体重が石突き１１Ｄに加わる毎に、圧電素子４１が電気を発生し、この電気を電源回路４２が表示灯４３に加える。これにより、表示灯４３が点滅する。
【００３４】
つまり、表示灯２３、４３の点滅により、昼間、松葉杖１１を目立たせるので、歩行時の松葉杖１１の視認を容易にし、歩行障害者の安全を確保することができる。
【００３５】
夜間、握り１１Ｃのスイッチ３２Ｃ、腋当て１１Ｂのスイッチ２２Ａ、および杖本体１１Ａのスイッチ４２Ａが閉じられて、松葉杖１１が用いられると、昼間電源回路３２が蓄えた電気で前照灯３３が持続して点灯する。前照灯３３は、歩行障害者の足元や歩行先を常に照らし、歩行時の安全を確保する。また、表示灯２３、４３の点滅により、松葉杖１１の夜間の視認を可能にし、歩行障害者の安全を確保することができる。特に、表示灯４３は、歩行障害者の歩行状態に応じて点滅するので、例えば自転車の利用者や自動車の運転者が歩行障害者の歩行速度を予測し、この歩行速度と自転車や自動車の進行方向および速度とから、歩行障害者と接触するまでの時間を予測可能にし、歩行障害者との接触を防ぐことを可能にする。
【００３６】
また、表示灯２３、４３の点灯には圧電式で発電する発電装置を用い、前照灯３３の点灯には電磁誘導式で発電する発電装置を用いるので、従来のように電池の交換を不要にし、かつ、表示灯２３、４３と前照灯３３とが歩行途中で消灯することを防いで、常に、歩行障害者の安全を確保することを可能にする。
（実施の形態２）
この実施の形態による発光機能付き歩行補助具を図１０に示す。この実施の形態では、歩行補助具が一本杖５１であり、一本杖５１に対して、実施の形態１で用いた電磁誘導式の発電装置と、圧電式の発電装置と、前照灯３３と、表示灯４３とが装着されている。なお、この実施の形態では、先に説明した実施の形態１と同一もしくは同一と見なされる構成要素には、それと同じ参照符号が付けられている。
【００３７】
一本杖５１は、歩行障害者に握られる握り５１Ａと、一端が握り５１Ａに固定されている棒状の杖本体５１Ｂと、杖本体５１Ｂの他端に取り付けられている石突き５１Ｃとで形成されている。
【００３８】
一本杖５１の握り５１Ａには、発電部３１と電源回路３２とを備える電磁誘導式の発電装置が装着され、握り５１Ａの一端には発光ダイオードの前照灯３３がホルダ３３を介して取り付けられ、握り５１Ａの他端には、握り５１Ａの表面から突出するように、スイッチ３２Ｃが取り付けられている。握り５１Ａには中空５１Ａ1が形成され、発電装置は中空５１Ａ1内に配置されている。発電部３１は中空５１Ａ1を形成する握り５１Ａの内壁面に接着剤１００などで固定されている。一本杖５１が歩行障害者に用いられると、歩行毎に握り５１Ａが振り動かされ、これにより発電部３１が電気を発生する。この電気は電源回路３２に加えられる。電源回路３２は発電部３１からの電気を蓄え、スイッチ３２Ｃが閉じられると、蓄えている電気を前照灯３３に加える。
【００３９】
一本杖５１の杖本体５１Ｂおよび石突き５１Ｃには、圧電素子４１と電源回路４２とを備える圧電式の発電装置が装着され、一本杖５１の杖本体５１Ｂには発光ダイオードが表示灯４３として取り付けられている。圧電素子４１は、実施の形態１と同様に、歩行時の圧力が石突き５１Ｃに加わったときだけパルス状の電気を発生する。この電気は電源回路４２に加えられる。
【００４０】
電源回路４２は、一本杖５１を用いる歩行障害者に操作されてスイッチ４２Ａが閉じられると、圧電素子４１からのパルス状の電気を表示灯４３に供給する。表示灯４３は、杖本体５１Ｂの外側に、かつ、杖本体５１Ｂの長手方向に、つまり、一本杖５１の側部を含む外周面に配置されている。表示灯４３は、一本杖５１が使用されたときに、一本杖５１の視認を可能にするものであり、歩行障害者の歩行状態に応じて点滅する。
【００４１】
この実施の形態により、実施の形態１と同じように、表示灯４３の点滅により、昼間、一本杖５１を目立たせるので、歩行時の一本杖５１の視認を容易にし、歩行障害者の安全を確保することができる。
【００４２】
夜間、握り５１Ａのスイッチ３２Ｃと杖本体５１Ｂのスイッチ４２Ａとが閉じられて、一本杖５１が用いられると、昼間、電源回路３２が蓄えた電気で前照灯３３が歩行障害者の足元や歩行先を照らし、歩行時の安全を確保することができる。また、表示灯４３の点滅により、一本杖５１の視認を可能にし、歩行障害者の安全を確保する。また、表示灯４３が歩行障害者の歩行状態に応じて点滅するので、例えば自転車の利用者や自動車の運転者が歩行障害者の歩行速度を予測し、歩行障害者との接触を防ぐことを可能にする。さらに、従来のように電池の交換を不要にし、前照灯３３と表示灯４３とが歩行途中で消灯することを防いで、常に、歩行障害者の安全を確保することを可能にする。
【００４３】
なお、この実施の形態では、握り５１Ａ内に電磁誘導式の発電装置を設けたが、実施の形態１と同じように、圧電式の発電装置を握り５１Ａに併設して表示灯４３に電気を供給するようにしてもよい。また、握り５１Ａに設けた圧電式の発電装置を、石突き５１Ｃを利用した圧電式の発電装置の代わりとしてもよい。
（実施の形態３）
この実施の形態による発光機能付き歩行補助具を図１１に示す。この実施の形態では、歩行補助具が四脚杖６１であり、四脚杖６１に対して、実施の形態１で用いた電磁誘導式の発電装置と、圧電式の発電装置と、前照灯３３と、表示灯４３とが装着されている。なお、この実施の形態では、先に説明した実施の形態１と同一もしくは同一と見なされる構成要素には、それと同じ参照符号が付けられている。
【００４４】
四脚杖６１は、歩行障害者に握られる握り６１Ａと、一端が握り６１Ａに固定されている棒状の杖本体６１Ｂと、杖本体６１Ｂの他端に、固定板６１Ｃを介して固定されている４つの脚部６１Ｄと、各脚部６１Ｄに取り付けられている石突き６１Ｅとで形成されている。握り６１Ａ、杖本体６１Ｂ、および４つの脚部６１Ｄは、内部が中空のパイプで作られている。
【００４５】
こうした四脚杖６１の握り６１Ａ内には、図１２に示すように、電磁誘導式の発電装置の発電部３１が接着剤１００などで固定され、電源回路３２がネジや接着剤などで固定されている。握り６１Ａの一端には、握り６１Ａの表面から突出するように、スイッチ３２Ｃが取り付けられ、握り６１Ａの他端には、ホルダ３３Ａに支持されている前照灯３３が取り付けられている。
【００４６】
杖本体６１Ｂの内部には、実施の形態２と同様に、圧電式の発電装置の電源回路（図示を省略）が装着され、杖本体６１Ｂの表面から突出するように、この電源回路のスイッチ４２Ａと、表示灯４３とが取り付けられている。表示灯４３は、杖本体６１Ｂの長手方向に、つまり、四脚杖６１の側部を含む外周面に配置されている。脚部６１Ｄと石突き６１Ｅとの間には、圧電式の発電装置の圧電素子（図示を省略）が配置されている。
【００４７】
前記構成の発光機能付き四脚杖によっても、実施の形態２と同様の効果を得ることができる。
【００４８】
なお、この実施の形態では、握り６１Ａ内に電磁誘導式の発電装置を設けたが、実施の形態２と同じように、圧電式の発電装置を握り６１Ａに併設して、杖本体６１Ｂの表示灯４３に電気を供給するようにしてもよい。また、握り６１Ａに設けた圧電式の発電装置を、石突き６１Ｅを利用した圧電式の発電装置の代わりとしてもよい。さらに、石突き６１Ｅを利用した圧電式の発電装置は、１つの石突き６１Ｅに設けてもよく、また、複数の石突き６１Ｅに設けてもよい。
（実施の形態４）
この実施の形態による発光機能付き歩行補助具を図１３に示す。この実施の形態では、歩行補助具が歩行器７１であり、歩行器７１に対して、実施の形態１で用いた電磁誘導式の発電装置と、圧電式の発電装置と、前照灯３３と、表示灯４３とが装着されている。なお、この実施の形態では、先に説明した実施の形態１と同一もしくは同一と見なされる構成要素には、それと同じ参照符号が付けられている。
【００４９】
歩行器７１は、横棒と２つの縦棒とが逆Ｕ字状に形成された脚体７１Ａ、７１Ｂと、この脚体７１Ａ、７１Ｂを補強する支持棒７１Ｃ、７１Ｄと、脚体７１Ａと脚体７１Ｂとを離して固定する接続棒７１Ｅ、７１Ｆと、脚体７１Ａ、７１Ｂに巻かれ、かつ、歩行障害者に握られる握り７１Ｇ、７１Ｈと、脚体７１Ａ、７１Ｂの端部に取り付けられている滑り止め７１Ｊ〜７１Ｍとで形成されている。脚体７１Ａ、７１Ｂ、支持棒７１Ｃ、７１Ｄ、および接続棒７１Ｅ、７１Ｆは、内部が中空のパイプで作られている。
【００５０】
こうした歩行器７１の脚体７１Ｂの横棒内には、図１４に示すように、電磁誘導式の発電装置の発電部３１が接着剤１００などで固定され、電源回路３２がネジや接着剤などで固定されている。スイッチ３２Ｃは、横棒の表面から突出するように、この横棒に取り付けられ、横棒の一端には、ホルダ３３Ａに支持されている前照灯３３が取り付けられている。
【００５１】
脚体７１Ｂの各縦棒の内部には、実施の形態２と同様に、圧電式の発電装置の電源回路（図示を省略）が装着され、一方の縦棒の表面から突出するように、この電源回路のスイッチ４２Ａと、表示灯４３とが取り付けられている。スイッチ４２Ａは各電源回路に共用にされている。表示灯４３は、縦棒の長手方向に、つまり、縦棒の側部に設けられている。各縦棒と滑り止め７１Ｌ、７１Ｍとの間には、圧電式の発電装置の圧電素子（図示を省略）が配置されている。
【００５２】
前記構成の発光機能付き歩行器によっても、実施の形態２と同様の効果を得ることができる。
【００５３】
前記構成の発光機能付き四脚杖によっても、実施の形態２と同様の効果を得ることができる。
【００５４】
なお、この実施の形態では、脚体７１Ｂの横棒内に電磁誘導式の発電装置を設けたが、実施の形態２と同じように、圧電式の発電装置を握り７１Ｈに併設して、脚体７１Ｂの縦棒の表示灯４３に電気を供給するようにしてもよい。また、握り７１Ｈに設けた圧電式の発電装置を、滑り止め７１Ｌ、７１Ｍを利用した圧電式の発電装置の代わりとしてもよい。また、滑り止め７１Ｌ、７１Ｍを利用した圧電式の発電装置は、片方の滑り止めに設けてもよい。さらに、脚体７１Ａに前照灯３３と表示灯４３と設けて、脚体７１Ａを脚体Ｂと同じ構造にしてもよい。
【００５５】
以上、この発明の実施の形態を詳述してきたが、具体的な構成は各実施の形態に限られるものではなく、この発明の要旨を逸脱しない範囲の設計の変更等があっても、この発明に含まれる。たとえば、杖や歩行器の形状や構造は各実施の形態に限定されことはなく、各種の形状や構造の歩行補助具に対して、この発明は適用可能である。また、発光体として発光ダイオードを用いたが、エレクトロ・ルミネッセンスやランプなどの各種のものを発光体として用いることが可能である。また、スイッチ２２Ａ、４２Ａを除いた構成の圧電式の発電装置を用いてもよい。この場合、歩行補助具が使用されているときは、常に、表示灯が点滅する。また、各実施の形態では、電磁誘導式の発電装置の発電部では、コイルを固定して磁石が動く構造であったが、逆に、磁石を固定してコイルが動く構造であってもよい。さらに、各実施の形態では、電磁誘導式の発電装置が発生する電気で照明灯３３が点灯する構造であったが、圧電式の発電装置が発生する電気で照明灯３３が点灯する構造や、電磁誘導式の発電装置が発生する電気で表示灯２３、４３が点灯する構造でもよい。
【図面の簡単な説明】
【００５６】
【図１】実施の形態１による発光機能付き松葉杖を示す平面図である。
【図２】実施の形態１による発光機能付き松葉杖の腋当ての断面を示す部分断面図である。
【図３】圧電式の発電装置を示す構成図である。
【図４】圧電式の発電装置を示す構成図である。
【図５】実施の形態１による発光機能付き松葉杖の握りの断面を示す断面図である。
【図６】電磁誘導式の発電装置を示す構成図である。
【図７】電磁誘導式の発電部の断面を示す断面図である。
【図８】電磁誘導式の電源回路を示す回路図である。
【図９】実施の形態１による発光機能付き松葉杖の棒状部分および石突きの断面を示す断面図である。
【図１０】実施の形態２による発光機能付き一本杖を示す断面図である。
【図１１】実施の形態３による発光機能付き四脚杖を示す斜視図である。
【図１２】発光機能付き四脚杖の握りの断面を示す断面図である。
【図１３】実施の形態４による発光機能付き歩行器を示す斜視図である。
【図１４】発光機能付き歩行器の横棒の断面を示す断面図である。
【符号の説明】
【００５７】
１１  松葉杖（歩行補助具）
１１Ａ  杖本体
１１Ａ1  Ｕ字部分
１１Ａ2  棒状部分
１１Ｂ  腋当て
１１Ｂ1  カバー
１１Ｂ2  当て材
１１Ｃ  握り
１１Ｃ1  中空
１１Ｄ  石突き
１１Ｄ1  窪み
２１  圧電素子（発電装置）
２１Ａ、２２Ｂ  電極
２１Ｃ  圧電材
２２  電源回路（発電装置）
２２Ａ  スイッチ
２２Ｂ、２２Ｃ  端子
２３  表示灯（発光体）
３１  発電部（発電装置）
３１Ａ  栓
３１Ｂ  筒体
３１Ｃ  コイル
３１Ｄ  磁石
３２  電源回路（発電装置）
３２Ａ  ダイオード
３２Ｂ  コンデンサ
３２Ｃ  スイッチ
３２Ｄ、３２Ｅ  端子
３３  前照灯（発光体）
３３Ａ  ホルダ
４１  圧電素子（発電装置）
４２  電源回路（発電装置）
４２Ａ  スイッチ
４３  表示灯（発光体）
５１  一本杖（歩行補助具）
５１Ａ  握り
５１Ａ1  中空
５１Ｂ  杖本体
５１Ｃ  石突き
６１  四脚杖（歩行補助具）
６１Ａ  握り
６１Ｂ  杖本体
６１Ｃ  固定板
６１Ｄ  脚部
６１Ｅ  石突き
７１  歩行器（歩行補助具）
７１Ａ、７１Ｂ  脚体
７１Ｃ、７１Ｄ  支持棒
７１Ｅ、７１Ｆ  接続棒
７１Ｇ、７１Ｈ  握り
７１Ｊ〜７１Ｍ  滑り止め
１００  接着剤
【図１】
2007000261.tif 000003
【図２】
2007000261.tif 000004
【図３】
2007000261.tif 000005
【図４】
2007000261.tif 000006
【図５】
2007000261.tif 000007
【図６】
2007000261.tif 000008
【図７】
2007000261.tif 000009
【図８】
2007000261.tif 000010
【図９】
2007000261.tif 000011
【図１０】
2007000261.tif 000012
【図１１】
2007000261.tif 000013
【図１２】
2007000261.tif 000014
【図１３】
2007000261.tif 000015
【図１４】
2007000261.tif 000016